(57)【要約】【課題】起立時における照射部の位置がより高くなるストロボ装置を提供する。【解決手段】ストロボ装置１０は、照射部１６を備えたストロボユニット１２と、カメラ本体に固定される固定体１４と、に大別される。ストロボユニット１２の側面には移動用第一軸２２および姿勢制御用カム溝２０が形成される。固定体１４の側面には、移動用第二軸３０、移動用カム溝２８、および、姿勢制御用カム溝２０に挿通される姿勢制御用カム軸２９が形成される。移動用第一軸２２は、引張コイルスプリング３２の付勢力により、移動用カム溝２８に沿って、移動用第二軸３０方向に移動する。その結果、移動用第一軸２２は、固定体１４の上端近傍かつ前側に移動する。また、この移動の際、ストロボユニット１２の姿勢は、姿勢制御用カム溝２０および姿勢制御用カム軸２９によって制御される。【選択図】図３
2007121813.tif 000002
【特許請求の範囲】
【請求項１】
ポップアップ型のストロボ装置であって、
カメラ本体に固定される固定体と、
閃光を発する照射部を備え、当該固定体に対して移動および姿勢変更可能に取り付けられたストロボユニットと、
ストロボユニットを、照射部が下向きになる収納姿勢で維持するストッパ機構と、
ストッパ機構による収納姿勢の維持が解除された際に、ストロボユニットを上方に移動させる移動手段と、
移動手段によるストロボユニットの移動に応じて、照射部が照射方向に向く起立姿勢になるべくストロボユニットを起立させる姿勢制御手段と、
を備えることを特徴とするストロボ装置。
【請求項２】
請求項１に記載のストロボ装置であって、
移動手段は、
固定体およびストロボユニットに接続され、ストロボユニットを所定方向に付勢する弾性体と、
固定体およびストロボユニットの一方に設けられ、弾性体の付勢力を受けてストロボユニットが移動する際に、固定体およびストロボユニットの他方に対して相対移動する移動軸と、
固定体およびストロボユニットの他方に設けられ、ストロボユニットが少なくとも上方に移動するべく移動軸の相対移動軌跡を規制する移動用カム溝と、
を備えることを特徴とするストロボ装置。
【請求項３】
請求項２に記載のストロボ装置であって、
移動用カム溝は、ストロボユニットが上方かつ前方に移動するべく移動軸の相対移動軌跡を規制することを特徴とするストロボ装置。
【請求項４】
請求項１から３のいずれか１項に記載のストロボ装置であって、
移動手段は、
ストロボユニットの後端近傍に固着された移動軸と、
固定体の前方に固着された固定軸と、
移動軸および固定軸を接続する弾性体であって、移動軸を固定軸方向に付勢する弾性体と、
弾性体の弾性力によって移動する移動軸の移動軌跡を規制するべく固定体に形成された移動用カム溝であって、固定軸に近づくにつれ固定体の上端に近づく形状の移動用カム溝と、
を備えることを特徴とするストロボ装置。
【請求項５】
請求項１から４のいずれか１項に記載のストロボ装置であって、
姿勢制御手段は、
固定体およびストロボユニットの一方に設けられた姿勢制御用カム軸と、
固定体およびストロボユニットの他方に設けられて、ストロボユニットの移動に伴う姿勢制御用カム軸の固定体およびストロボユニットの他方に対する相対移動の軌跡を規制することで、ストロボユニットの姿勢を制御する姿勢制御用カム溝と、
を備えることを特徴とするストロボ装置。
【請求項６】
請求項５に記載のストロボ装置であって、
姿勢制御用カム軸は、固定体に設けられ、
姿勢制御用カム溝は、ストロボユニットに設けられるとともに、姿勢制御用カム軸のストロボユニットに対する相対的移動軌跡を規制することを特徴とするストロボ装置。
【請求項７】
請求項１から６のいずれか１項に記載のストロボ装置であって、
ストッパ機構は、その一端が固定体に固着されており、その他端が収納姿勢のストロボユニットの一部に係止するとともに、ユーザからの指示に応じて当該係止を解除する係止部材であることを特徴とするストロボ装置。
【発明の詳細な説明】
【技術分野】
【０００１】
本発明は、適宜、閃光を発するストロボ装置に関し、特に、照射部が下向きになる収納姿勢から、照射部が正面向きになる照射可能時の姿勢である起立姿勢に変化するポップアップ型ストロボ装置に関する。
【背景技術】
【０００２】
従来から、カメラに取付けられているストロボ装置として、ポップアップ型のストロボ装置が広く知られている。ポップアップ型のストロボ装置は、内部に発光体を備えたストロボユニットが、閃光を発する照射部が下向きになる収納姿勢から、照射部が正面向きになる照射可能時の姿勢である起立姿勢に、適宜、変化する。ストロボユニットを、適宜、姿勢変更可能な構成とすることで、カメラの携帯性を向上させることができる。
【０００３】
特許文献１には、かかるポップアップ型のストロボ装置が開示されている。特許文献１に記載のストロボ装置では、ストロボ本体およびカメラ本体を接続するアームの一端に設けられたトーションバネの付勢力により、ストロボ本体をカメラ本体に対して回動させている。この回動時において、ストロボ本体は、ストロボ本体およびカメラ本体に挿通された軸を回動中心とする。このように、バネの付勢力によりストロボを回動自在とすることで、カメラの携帯性を向上できるストロボ装置を得ることができる。
【０００４】
【特許文献１】特開２００２−９０８２８号公報
【発明の開示】
【発明が解決しようとする課題】
【０００５】
ここで、好適なストロボ撮影を行うためには、ストロボ装置の照射部が極力高い位置に位置していることが望ましい。照射部の位置が低いと、当該発光体からの光が被写体まで到達しなかったり、照射部からの光がカメラのレンズに直接入力されたりしてしまい、好適な撮影ができない。
【０００６】
しかし、従来のポップアップ型ストロボ装置では、起立状態における照射部の位置を高くするのが困難であった。すなわち、特許文献１に記載のストロボ装置を初めとして、従来のポップアップ型ストロボ装置の多くは、位置固定の回動軸を中心として、ストロボユニットを回動させることで、ストロボユニットを起立させていた。この場合、回動軸の位置が不変であるため、起立時のストロボユニットの高さは、ストロボユニットの全長および回動角度に拘束されることになる。換言すれば、起立時のストロボユニットの高さを向上させるためには、ストロボユニットの全長を大きくするしか方法がなかった。しかし、ストロボユニットの全長を大きくすることは、携帯性やコストの面から望ましくない。
【０００７】
そこで、本発明では、起立状態において、照射部をより高くでき得るストロボ装置を提供することを第一の目的とする。本発明の第二の目的は、コンパクトな構造で、起立状態において照射部をより高くでき得るストロボ装置を、提供することである。
【課題を解決するための手段】
【０００８】
本発明のストロボ装置は、ポップアップ型のストロボ装置であって、カメラ本体に固定される固定体と、閃光を発する照射部を備え、当該固定体に対して移動および姿勢変更可能に取り付けられたストロボユニットと、ストロボユニットを、照射部が下向きになる収納姿勢で維持するストッパ機構と、ストッパ機構による収納姿勢の維持が解除された際に、ストロボユニットを上方に移動させる移動手段と、移動手段によるストロボユニットの移動に応じて、照射部が照射方向に向く起立姿勢になるべくストロボユニットを起立させる姿勢制御手段と、を備えることを特徴とする。
【０００９】
好適な態様では、移動手段は、固定体およびストロボユニットに接続され、ストロボユニットを所定方向に付勢する弾性体と、固定体およびストロボユニットの一方に設けられ、弾性体の付勢力を受けてストロボユニットが移動する際に、固定体およびストロボユニットの他方に対して相対移動する移動軸と、固定体およびストロボユニットの他方に設けられ、ストロボユニットが少なくとも上方に移動するべく移動軸の相対移動軌跡を規制する移動用カム溝と、を備える。移動用カム溝は、ストロボユニットが上方かつ前方に移動するべく移動軸の相対移動軌跡を規制することが望ましい。
【００１０】
他の好適な態様では、移動手段は、ストロボユニットの後端近傍に固着された移動軸と、固定体の前方に固着された固定軸と、移動軸および固定軸を接続する弾性体であって、移動軸を固定軸方向に付勢する弾性体と、弾性体の弾性力によって移動する移動軸の移動軌跡を規制するべく固定体に形成された移動用カム溝であって、固定軸に近づくにつれ固定体の上端に近づく形状の移動用カム溝と、を備える。
【００１１】
他の好適な態様では、姿勢制御手段は、固定体およびストロボユニットの一方に設けられた姿勢制御用カム軸と、固定体およびストロボユニットの他方に設けられて、ストロボユニットの移動に伴う姿勢制御用カム軸の固定体およびストロボユニットの他方に対する相対移動の軌跡を規制することで、ストロボユニットの姿勢を制御する姿勢制御用カム溝と、を備える。ここで、姿勢制御用カム軸は、固定体に設けられ、姿勢制御用カム溝は、ストロボユニットに設けられるとともに、姿勢制御用カム軸のストロボユニットに対する相対的移動軌跡を規制することが望ましい。
【００１２】
他の好適な態様では、ストッパ機構は、その一端が固定体に固着されており、その他端が収納姿勢のストロボユニットの一部に係止するとともに、ユーザからの指示に応じて当該係止を解除する係止部材である。
【発明の効果】
【００１３】
本発明のストロボ装置は、ストロボユニットを上方に移動させる移動手段と、ストロボユニットを起立させる姿勢制御手段と、を備えている。そのため、ストロボユニットの全長に拘束されず、起立状態における照射部の位置をより高い位置にすることが可能となる。
【発明を実施するための最良の形態】
【００１４】
以下、本発明の実施形態であるストロボ装置について図面を参照して説明する。図１、図２は、本実施形態であるストロボ装置１０が組み込まれたカメラを示す斜視図である。図１は、ストロボユニット１２を収納した様子を、図２はストロボユニット１２を起立させた様子を、それぞれ示している。
【００１５】
ストロボ装置１０は、カメラ本体部１００に固着された固定体１４と、当該固定体１４に対して姿勢変更可能なストロボユニット１２に大別される。固定体１４は、カメラ本体部１００の上部に固着されており、その位置は不変である。この固定体１４は、後に詳説するように、前面、後面、天面が開口した断面略Ｕ字形状である。そして、固定体１４の右側壁および左側壁の間にストロボユニット１２が収納される。
【００１６】
ストロボユニット１２は、その内部に発光体（図示せず）を備えており、カメラ１００の制御部からの指示に応じて、閃光を発する。発光体からの閃光は、ストロボユニット１２の前端近傍に設けられた照射部１６を介して外部に照射される。このストロボユニット１２は、適宜、その姿勢が変更でき得るように固定体１４に取り付けられている。ストロボユニット１２が固定体１４に対して起立した起立状態（図２）の場合、既述の照射部１６は外部に露出しており、当該照射部１６からの閃光がカメラの光軸方向と同方向に照射される。一方、起立しているストロボユニット１２を照射部１６が略下方になるように倒すことにより、ストロボユニット１２が固定体１４の両側壁の間に収納される収納状態となる。ここで、ストロボユニット１２と固定体１４の両側壁の高さはほぼ同じである。そのため、収納状態において、ストロボユニット１２は、固定体１４に完全に収納され、ストロボ装置１０の上端面は、略平坦になる。これにより、カメラの携帯性を向上できる。
【００１７】
次に、このストロボ装置１０のより詳細な構成について図３〜図５を用いて説明する。図３はストロボ装置１０の斜視図であり、図４はストロボユニット１２単独の斜視図である。また、図５は固定体１４単独での斜視図である。なお、以下の説明では、ストロボユニット１２のうち、起立状態において前方に向く面、換言すれば、収納状態において下向きの面を「底面」と呼ぶ。また、起立状態において後方に向く面、換言すれば、収納状態において上向きの面を「上面」と呼ぶ。さらに、起立状態において上方に向く面かつ収納状態において前方に向く面を「前面」と呼び、起立状態において下方に向く面かつ収納状態において後方に向く面を「後面」と呼ぶ。
【００１８】
ストロボユニット１２は、既述したように、その内部に発光体を備えており、当該発光体からの閃光が照射部１６から放出される。照射部１６は、ガラスや透明樹脂等の透光性材料から構成されたレンズ部材を有しており、発光体からの閃光は、当該レンズ部材を透過していく。照射部１６は、ストロボユニット１２の底面のうち前面近傍に設けられている。そして、起立状態において、この照射部１６は、略垂直な面内に位置し、また、カメラの本体から大きく離れた位置に位置することになる。
【００１９】
ストロボユニット１２の底面には、後述する係止フック３４が係止する係止穴１８も設けられている。収納状態において、この係止穴１８に係止フック３４が係止することにより、収納状態が維持される。一方、係止フック３４による係止が解除されると、ストロボユニット１２は、後述する引張コイルスプリング３２の付勢力により、自動的に起立状態へと移行する。
【００２０】
ストロボユニット１２の右側面および左側面には、姿勢制御用カム溝２０と、移動用第一軸２２が形成されている。この姿勢制御用カム溝２０と、移動用第一軸２２は、ストロボユニット１２を移動させる移動手段を構成する一部材である。移動用第一軸２２は、ストロボユニット１２の側面のうち、底部近傍かつ後面近傍に設けられている。この移動用第一軸２２には、引張コイルスプリング３２の一端が接続されている。移動用第一軸２２は、この引張コイルスプリング３２からの付勢力を受けて、固定体１４の側面に形成された移動用第二軸３０に近づく方向に、ストロボユニット１２全体とともに移動する。ここで、移動用第二軸３０は、後に詳説するが、移動用第一軸２２より前方に位置している。したがって、引張コイルスプリング３２の付勢力により、移動用第一軸２２、ひいては、ストロボユニット１２全体は、略前方に移動することになる。
【００２１】
姿勢制御用カム溝２０は、ストロボユニット１２が姿勢変更する際のストロボユニット１２の姿勢を制御するために設けられている。この姿勢制御用カム溝２０には、固定体１４の側壁２４の内側に突出形成された姿勢制御用カム軸２９が係合される。そして、この姿勢制御用カム溝２０と姿勢制御用カム軸２９との係合関係を維持したまま、ストロボユニット１２が移動することにより、ストロボユニット１２の姿勢が制御される。ここで、姿勢制御用カム溝２０は、収納状態から起立状態に移行するにつれ、ストロボユニット１２の起立角度が高くなるような形状に形成されている。
【００２２】
固定体１４は、既述したように、前方、後方、上方の三方向が開口した断面略Ｕ字形状であり、底面２６と左右の側壁２４から構成されている。固定体１４の側壁２４の高さはストロボユニット１２の高さとほぼ同じであり、左右の側壁２４の距離はストロボユニット１２の幅とほぼ同じである。したがって、収納状態において、ストロボユニット１２は、固定体１４により形成される略方形空間内にほぼ収納される。
【００２３】
固定体１４の側壁２４には、移動用第二軸３０、移動用カム溝２８、および、姿勢制御用カム軸２９が形成されている。移動用第二軸３０は、外側方向に突出形成されており、引張コイルスプリング３２の一端が接続される。引張コイルスプリング３２は、移動用第一軸２２を、移動用第二軸３０の方向に付勢している。この引張コイルスプリング３２の付勢力により、移動用第一軸２２、ひいては、ストロボユニット１２全体が、移動する。ここで、移動用第二軸３０は、固定体１４の底部近傍であって、移動用第一軸２２より前方に設けられている。したがって、移動用第一軸２２、ひいては、ストロボユニット１２は、付勢力により略前方向に移動することになる。
【００２４】
移動用カム溝２８は、ストロボユニット１２の側面に設けられた移動用第一軸２２が挿通される長孔である。この移動用カム溝２８は、引張コイルスプリング３２の付勢力により略前方に移動する移動用第一軸２２の移動軌跡を規制する。すなわち、移動時において、移動用第一軸２２は、この移動用カム溝２８に挿通されているため、当該移動用カム溝２８に沿ってしか移動できないようになっている。この移動用カム溝２８は、固定体１４に形成された移動用第二軸３０に近づくにつれ、徐々に、高くなる（側壁２４の上端に近づく）ような形状となっている。
【００２５】
ここで、移動用第二軸３０は、移動用第一軸２２より前方に設けられている。また、移動用第一軸２２の移動軌跡を規制する移動用カム溝２８は、移動用第二軸３０に近づくにつれ、徐々に、側壁２４の上端に近づく形状となっている。したがって、引張コイルスプリング３２からの付勢力を受けて移動用第一軸２２が移動する場合、ストロボユニット１２の後端部近傍に設けられた移動用第一軸２２は、前側上方へと移動することがわかる。つまり、本実施形態によれば、収納状態から起立状態に移行する際、ストロボユニット１２の後端部は、前側上方に移動することがわかる。その結果、起立状態におけるストロボユニット１２がより高い位置に位置することができる。
【００２６】
姿勢制御用カム軸２９は、側壁２４において内側方向に突出形成されている。姿勢制御用カム軸２９は、ストロボユニット１２の側面に形成された姿勢制御用カム溝２０に挿通される軸である。この姿勢制御用カム軸２９と姿勢制御用カム溝２０は、移動する際のストロボユニット１２の姿勢を制御する姿勢制御手段として機能する。引張コイルスプリング３２からの付勢力を受けて、ストロボユニットが前側上方に移動する際に、この姿勢制御用カム軸２９と姿勢制御用カム溝２０との挿通関係が維持されることにより、ストロボユニット１２の姿勢が制御される。
【００２７】
固定体１４の底面には、係止フック３４が挿通するための貫通孔３５が形成されている。この貫通孔３５から突出した係止フック３４が、ストロボユニット１２の底面に形成された係止穴１８に係止されることにより、収納状態が維持される。
【００２８】
次に、ストロボユニット１２が収納状態から起立状態に移行する際の動きについて図６〜図８を用いて詳説する。図６〜図８は、ストロボ装置１０の側面図であり、図６は収納状態を、図８は起立状態を、図７は収納状態から起立状態に移行する途中である中間状態をそれぞれ示している。
【００２９】
収納状態（図６）において、ストロボユニット１２は倒されており、固定体１４によって形成される略方形空間内に収納される。この状態では、照射部１６は、略下方に向いており、固定体１４の底面に対向した状態となっている。
【００３０】
固定体１４の側壁２４に形成された姿勢制御用カム軸２９は、ストロボユニットの側面に形成された姿勢制御用カム溝２０の上端近傍に位置している。また、ストロボユニット１２に形成された移動用第一軸２２は、移動用カム溝２８の下端近傍に位置している。そして、引張コイルスプリング３２は、移動用第一軸２２を移動用第二軸３０の方向へと付勢している。
【００３１】
この状態で、図示しない係止フック３４と、ストロボユニット１２の底面にある係止穴１８との係止関係が解除されると、引張コイルスプリング３２の付勢力によって、移動用第一軸２２は、移動用第二軸３０の方向へと移動する。この様子が図７に図示されている。
【００３２】
図７に図示するとおり、移動用第一軸２２は、移動用第二軸３０の方向、換言すれば、前方向へと移動する。ただし、このときの移動用第一軸２２の移動軌跡は、固定体１４の側壁２４に形成された移動用カム溝２８によって規制されている。したがって、移動用第一軸２２の移動軌跡は、移動用カム溝２８に沿った軌跡、すなわち、前方向に移動するにつれ、側壁２４の上端側に近づくような軌跡となる。また、このとき、ストロボユニット１２は、固定体１４の側壁２４に設けられた姿勢制御用カム軸２９と、ストロボユニット１２の側面に形成された姿勢制御用カム溝２０と、の挿通関係が維持でき得るように、姿勢変更する。具体的には、移動用第一軸２２が前側上方に移動するにつれ、起立角度が大きくなるように姿勢変更する。
【００３３】
そして、移動用第一軸２２が、移動用カム溝２８の上端まで移動した場合、すなわち、起立状態となった場合（図８）、姿勢制御用カム軸２９は、姿勢制御用カム溝２０の下端近傍に位置する。このとき、ストロボユニット１２は、照射部１６がほぼ垂直となる姿勢になっている。ここで、起立状態において、ストロボユニット１２の後端近傍に設けられた移動用第一軸２２は、移動用カム溝２８の上端近傍、換言すれば、固定体１４の上端近傍かつ前方位置に位置する。その結果、ストロボユニット１２全体の位置が高く、かつ、前方に近くなり、より高く、より前方に近寄った位置からの照射が可能となる。そして、より好適な閃光照射が可能となり、ひいては、より好適なストロボ撮影が可能となる。
【００３４】
これについて、図９を参照して説明する。図９は、従来のポップアップ型ストロボ装置６０の一例を示す図である。従来のポップアップ型のストロボ装置６０の多くは、単一の回動軸６２を有し、当該回動軸６２を中心として回動することにより、起立状態と収納状態との切り替えを図っていた。例えば、特許文献１に記載のストロボ装置も、単一の回動軸を中心とする回動動作により状態変更を行っている。この場合、回動軸６２の位置は不変であり、起立状態における照射部１６の位置は、回動軸６２から照射部１６までの距離、および、回動角度によって拘束されることになる。そのため、従来のストロボ装置６０では、起立状態における照射部１６の位置を、より高く、かつ、より前方側にすることが困難であった。
【００３５】
これに対して、本実施形態のストロボ装置１０では、起立状態に移行する際に、回動軸として機能する移動用第一軸２２が移動用カム溝２８に沿って、より上方、かつ、より前側に移動する。その結果、起立状態における照射部１６の位置をより高く、かつ、より前側にすることができる。
【００３６】
ここで、図９において、ｈ１、Ｗ１は、起立状態時の本実施形態のストロボ装置１０の照射部１６の高さ及び前方位置を示している。また、ｈ２、Ｗ２は、起立状態時の従来のストロボ装置６０の照射部１６の高さ及び前方位置を示している。この図９におけるｈ１とｈ２、およびＷ１とＷ２の比較からも明らかなように、本実施形態によれば、起立状態における照射部１６の位置をより高く、かつ、より前側にすることができる。その結果、より好適なストロボ撮影が可能となる。
【００３７】
次に、本実施形態のストロボ装置１０を収納状態で維持するための係止フック３４の動きについて図１０Ａ，図１０Ｂを用いて説明する。図１０Ａおよび図１０Ｂは、ストロボ装置１０の概略断面図であり、図１０Ａは収納状態の様子を、図１０Ｂは収納状態を解除した際の様子をそれぞれ示している。
【００３８】
既述したように、本実施形態のストロボ装置１０は、収納状態を維持するための係止フック３４を備えている。この係止フック３４の先端には、後方に折り曲がった返し部３４ａが形成されている。そして、この返し部３４ａが、ストロボユニット１２の底部に形成された係止穴１８に係止することにより、収納状態が維持される。また、係止フック３４の上面は、傾斜面として形成されている。
【００３９】
係止フック３４は、コイルスプリング３６により、係止を維持する方向、すなわち、図１０における右方向に付勢されている。係止状態を解除する場合、すなわち、収納状態から起立状態へと移行させる場合には、係止フック３４をコイルスプリング３６の付勢力に抗して、係止解除方向（図１０における左方向）に移動させる。この係止解除方向への移動は、種々の周知技術を利用すればよいので、ここでは、その説明は省略する。係止フック３４による係止を解除すると、既述の引張コイルスプリング３２の付勢力により、ストロボユニット１２は自動的に起立状態に移行する（図１０Ｂ参照）。
【００４０】
また、起立状態から収納状態に移行する際には、ストロボユニット１２の底面は、まず、係止フック３４の上面である傾斜面に当接する。この当接により、係止フック３４には、水平方向の力が働き、図１０における左方向に移動する。そして、ストロボユニット１２の底面が、係止フック３４の上面より下側に位置した時点で、コイルスプリング３６の付勢力により係止フック３４は図１０における右方向、すなわち、係止維持方向へ移動する。その結果、係止状態が維持され、ストロボユニット１２の収納状態が維持される。
【００４１】
以上のとおり、本実施形態では、ストロボユニット１２の後端近傍に設けられた移動用第一軸を、起立状態において、固定体１４の上端近傍、かつ、前側に位置するように構成している。また、その際のストロボユニットの姿勢を、姿勢制御用カム軸および姿勢制御用カム溝により制御している。そのため、従来のストロボ装置に比較して、起立状態時における照射部１６を、より高く、かつ、より前側にすることができる。その結果、より好適なストロボ撮影が可能となる。また、弾性体により付勢された係止フックを設けることにより、適宜、収納状態を維持、または、解除でき得る。したがって、簡易な構成で使いやすいストロボ装置を提供できる。
【００４２】
なお、本実施形態では、ストロボユニット１２に設けられた姿勢制御用カム軸２９と、固定体１４に設けられた姿勢制御用カム溝２０により、ストロボユニット１２の姿勢を制御しているが、軸と溝との形成箇所は逆であってもよい。すなわち、ストロボユニット１２に姿勢制御用のカム溝を、固定体１４に姿勢制御用のカム軸を設けて姿勢制御してもよい。
【００４３】
また、本実施形態では、移動用のカム溝を固定体１４に、当該カム溝に挿通される軸をストロボユニット１２に設けているが、これも逆でもよい。すなわち、移動用のカム溝をストロボユニット１２に、移動用の軸を固定体１４に設けてもよい。
【００４４】
また、本実施形態では、起立状態のストロボユニット１２が、より高く、かつ、より前側になるように構成している。しかし、少なくとも、起立状態のストロボユニット１２が、より高くなるのであれば、必ずしも、前側に移動しなくてもよい。
【００４５】
また、本実施形態では、ストロボユニット１２の移動力として、引張コイルスプリング３２の付勢力を利用しているが、これを、圧縮コイルスプリングに代えてもよい。この場合、移動用カム溝２８は、移動用第一軸２２と移動用第二軸３０とが離れるにつれ、ストロボユニット１２に設けられた移動用第一軸２２の位置がより高くなるような形状にすればよい。
【図面の簡単な説明】
【００４６】
【図１】収納状態のストロボ装置をカメラに装着した際の斜視図である。
【図２】起立状態のストロボ装置をカメラに装着した際の斜視図である。
【図３】ストロボ装置の斜視図である。
【図４】ストロボユニットの斜視図である。
【図５】固定体の斜視図である。
【図６】収納状態のストロボ装置の側面図である。
【図７】中間状態のストロボ装置の側面図である。
【図８】起立状態のストロボ装置の側面図である。
【図９】従来のポップアップ型ストロボ装置の一例を示す図である。
【図１０Ａ】収納状態のストロボ装置の断面図である。
【図１０Ｂ】収納状態解除時のストロボ装置の断面図である。
【符号の説明】
【００４７】
１０  ストロボ装置、１２  ストロボユニット、１４  固定体、１６  照射部、１８  係止穴、２０  姿勢制御用カム溝、２２  移動用第一軸、２８  移動用カム溝、２９  姿勢制御用カム軸、３０  移動用第二軸、３２  引張コイルスプリング、３４  係止フック。
【図１】
2007121813.tif 000003
【図２】
2007121813.tif 000004
【図３】
2007121813.tif 000005
【図４】
2007121813.tif 000006
【図５】
2007121813.tif 000007
【図６】
2007121813.tif 000008
【図７】
2007121813.tif 000009
【図８】
2007121813.tif 000010
【図９】
2007121813.tif 000011
【図１０Ａ】
2007121813.tif 000012
【図１０Ｂ】
2007121813.tif 000013